(57)【特許請求の範囲】
【請求項１】
表示物の表示面に液晶パネルを重ね合せ、該液晶パネル通電時に液晶パネルで表示面を遮蔽し、液晶パネル無通電時に透明になった液晶パネルを通して表示面を表示させ、液晶パネルの点滅に伴って表示物の表示面が点滅して見えるように設けたキーホルダー用又はアクセサリー用液晶表示装置において、該液晶表示装置の表示面側から液晶パネル、表示物、制御基盤の順序で透明な収納ケース内に収納すると共に、該液晶パネルに通電する太陽電池からなる電源を収納ケース内に収納し、表示物は光反射性のシート又はフィルムに印刷された表示面を有するものとし、液晶パネルの表面を覆う透明なエポキシ樹脂製の被覆材を収納ケース内に充填して収納ケースを密閉し、液晶パネルの表面を覆う透明なエポキシ樹脂製の被覆材を通して光反射性の表示物の表示面で光が反射し、光の届く場所において長期間表示面が点滅しているかの如く表示するようにしたことを特徴とするキーホルダー用又はアクセサリー用液晶表示装置。
【発明の詳細な説明】
【技術分野】
【０００１】
本発明は、白黒の液晶を使用してカラフルな表示物を点滅させることができる点滅表示体に係り、キーホルダー用又はアクセサリー用液晶表示装置に関する。
【背景技術】
【０００２】
従来、液晶パネルを利用した広告板として特許文献１に記載された広告板が提案されている。この広告板は、デザイン化されていないセグメント電極を内蔵する液晶パネルを内蔵用ケースに設置し、この内蔵用ケース内に光源を配備し、この光源で液晶パネルを照射するものである。
【０００３】
また液晶を点滅表示する液晶広告媒体が引用文献２に記載されている。この広告媒体は、電極付きの基板間に液晶を挟持した液晶パネルを点滅させ、この液晶パネルの前面に図柄層を設けたものである。そして、図柄層の周辺を白黒に点滅させることで、人目を惹く広告媒体とするものである。
【０００４】
【特許文献１】特表２００３−５０７７５１号公報
【特許文献２】特開平８−１５６６５号公報
【発明の開示】
【発明が解決しようとする課題】
【０００５】
液晶を使用した特許文献１の広告板は、点滅する液晶表示パネルの前面に、偏光フィルムや屈折フィルムを定着して広告表示部を設けることで、この液晶表示パネルの点滅に伴って、広告表示部の周囲や文字・図柄等の明暗が交互に変わるようにしている。更に、液晶表示パネルの裏側に配置した光源で液晶パネルを照らすことで、広告表示を鮮明に表示しようとするものである。
【０００６】
ところが、この広告板では、液晶表示パネルの前面に、広告内容を示す広告表示部を設けているので、この広告表示部は、液晶パネルの光が透過するように設ける必要がある。そのため、偏光フィルムや不透明フィルムに広告表示部を設けたり、液晶表示パネルのスクリーン表面に直接表示したりする手段が採用されているが、いずれにしても、広告表示部は、液晶表示パネルによる背面からの光を透過して表示するので、特許文献１の広告板は、通常の印刷物をそのままの色彩や明度で表示することは困難であった。しかも、液晶パネルの照度が極めて低いので、昼間に使用する場合は、液晶表示パネルの裏側に配置した光源を利用する必要がある。このため、広告表示部から光源までにある程度の距離が必要となり、広告板の厚みが極めて厚くなる不都合もあった。
【０００７】
一方、特許文献２の広告媒体は、図柄層の後面に配した液晶パネルの点滅に伴って図柄層の周囲を白黒に点滅させ、あるいは図柄層自体の色や表示の濃さを変化させるものである。例えば、図柄層を形成するシートに遮光性シートを用いた場合は、図柄層の周囲の色が液晶パネルの点滅に伴って変化する広告になる。ところが、遮光性シートを用いて、図柄層の周囲の色が変化するものでは、常に図柄層が表出しており周囲の限られた部分のみが変化し、しかも昼間ではこの液晶パネルの照度が低いので、広告媒体として人目を惹く効果はあまり期待できない。
【０００８】
また、特許文献２において、また、図柄層を形成するシートに半透過性シートを用いると、周囲の変化と共に、図柄層の色や表示の濃さも変化するようになる。ところが、半透過性シートを用いて図柄層の色や表示の濃さも変化するように設けるには、偏光シートや屈折シートなどを用いなければ、図柄層を効果的に変化させることはできず、その分、図柄層の構成が複雑になってしまう。また、いずれのシートを用いたにしても、図柄層の裏面に配した液晶パネルの点滅によって図柄層を表示する構成であるから、液晶パネルの照度が低いために、昼間に十分な広告効果を得ることはできない。
【０００９】
そこで本発明は、上述の課題を解消すべく創出されたもので、点滅する白黒の液晶パネルを利用して、昼間でもカラフルで効果的な表示効果が得られ、しかも極めてシンプルでスリムな構成でありながら、表示物の表示手段を自由に選択することができるキーホルダー用又はアクセサリー用液晶表示装置の提供を目的とするものである。
【課題を解決するための手段】
【００１０】
本発明の手段は、表示物２の表示面に液晶パネル１を重ね合せ、該液晶パネル１通電時に液晶パネル１で表示面を遮蔽し、液晶パネル１無通電時に透明になった液晶パネル１を通して表示面を表示させ、液晶パネル１の点滅に伴って表示物２の表示面が点滅して見えるように設けたキーホルダー用又はアクセサリー用液晶表示装置において、該液晶表示装置の表示面側から液晶パネル１、表示物２、制御基盤３の順序で透明な収納ケース５内に収納すると共に、該液晶パネルに通電する太陽電池からなる電源４を収納ケース５内に収納し、表示物は光反射性のシート又はフィルムに印刷された表示面を有するものとし、液晶パネル１の表面を覆う透明なエポキシ樹脂製の被覆材６を収納ケース５に充填して収納ケース５を密閉し、液晶パネル１の表面を覆う透明なエポキシ樹脂製の被覆材６を通して光反射性の表示物２の表示面で光が反射し、光の届く場所において長期間表示面が点滅しているかの如く表示するようにしたことにある。
【発明の効果】
【００１１】
本発明により、液晶パネル１無通電時に透明になった液晶パネル１を通して表示面を表示させ、液晶パネル１の点滅に伴って表示物２の表示面が点滅して見えるように設けたことで、昼間でもカラフルで効果的な表示効果が得られる。また、表示物２の表示面に液晶パネル１を重ね合せるだけでよいので、極めてシンプルでスリムな構成にすることができる。しかも、表示物２は透明になった液晶パネル１を通して表示されるので、表示物の表示手段も自由に選択することができる。
【００１２】
また、各構成部材を収納ケース５内に収納し、液晶パネル１の表面を覆う透明なエポキシ樹脂製の被覆材６で収納ケース５を閉じるように設けているので、極めてシンプルでスリムな構成にすることができる。この結果、本発明点滅表示装置を、キーホルダーやアクセサリー等の小物用品に用いることが可能である。
【００１３】
更に、電源４として太陽電池を用い、前記被覆材６を透明なエポキシ樹脂とし、該被覆材６を透明な収納ケース５内に充填して収納ケース５を密閉することで、極めて密封効果が高く、しかも電源４の交換がなくても、光の届く場所において長期間点滅するキーホルダー用又はアクセサリー用液晶表示装置を提供することができる。
【００１４】
光反射性のシート又はフィルムに表示面を印刷することで、液晶パネル１が透明になったときに、このシート又はフィルム自体の反射効果によって、表示物２の表示面をより効果的に表示させることができる。しかも、周囲が明るいほど効果的な表示効果が得られる。
【００１５】
このように本発明によると、点滅する白黒の液晶パネルを利用して、昼間でもカラフルで効果的な表示効果が得られ、しかも極めてシンプルでスリムな構成でありながら、表示物の表示手段を自由に選択することができるといった有益な種々の効果を奏するものである。
【発明を実施するための最良の形態】
【００１６】
本発明の最良の形態は、表示物２の表示面に液晶パネル１を重合する。該液晶パネル１通電時に液晶パネル１で表示面を遮蔽し、液晶パネル１無通電時に透明になった液晶パネル１を通して表示面を表示させる。表示物２は、光反射性のシート又はフィルムに印刷されている。表示物２と液晶パネル１と制御基盤３と太陽電池とを透明なエポキシ樹脂製の収納ケース５内に収納する。液晶パネル１の表面を覆う透明なエポキシ樹脂製の被覆材６で収納ケース５を密封することで、当初の目的を達成するものである。
【実施例】
【００１７】
本発明は、点滅する液晶パネル１を用いて表示物２に周囲の注意を惹くように表示するキーホルダー用又はアクセサリー用液晶表示装置である。
【００１８】
本発明小物用表示装置の主要構成は、液晶パネル１、表示物２、制御基盤３、電源４にて構成され、制御基盤３と電源４は、液晶パネル１を点滅させるものである。通電時の液晶パネル１は、液晶がパネル前面を黒く表示し、無通電時に透明になる液晶パネル１を用いる。
【００１９】
点滅する液晶パネル１は、表示物２の表示面に重ね合せる。そして、該液晶パネル１通電時に、黒く表示された液晶パネル１で表示面を遮蔽し、液晶パネル１無通電時に透明になった液晶パネル１を通して表示面を表示させるものである。このように、液晶パネル１の点滅に伴って表示物２の表示面で光が点滅して見えるようにしている。
【００２０】
表示物２は、任意の文字、図柄、絵、写真等を表示する部材で、紙材や合成樹脂材、金属材など、任意のシートやフィルムを使用することができる。また、表示面に当たる光によって表示が見えるようにしているので、仕切り２の材質に、透光性のシートやフィルムを使用する必要はない。更に、表示面に当たる光をより効果的に反射せしめる材質、所謂光反射性のシート又はフィルムに印刷された表示面を設けることで、表示面で光が反射して、あたかも、表示面が点滅しているかの如き状態になり、より高い表示効果を得ることができる。
【００２１】
図中符号５は収納ケースであり、表示物２と液晶パネル１とを収納する。図示の収納ケース５は、更に制御基盤３と電源４をセットにして収納してある。また、収納ケース５の開口部を透明な被覆材６で閉じ、この被覆材６で液晶パネル１の表面を覆うように設けている。この際、電源４に太陽電池を用いることで、電池交換の必要がない表示装置を提供することができる。図示例では、前記被覆材６を透明なエポキシ樹脂とし、該被覆材６を収納ケース５内に充填して収納ケース５を密閉することで、防水効果や防塵効果に優れた表示装置の提供も可能になる。このような構成の本発明表示装置によると、例えばキーホルダーなどの小物製品に、点滅表示機能を付与することが可能になる。
【００２２】
本発明液晶表示装置は、点滅する液晶パネル１を用いて表示物２に注意を惹くように表示するものである。そのため、表示物２の表示面に液晶パネル１を重ねることにある。そして、液晶パネル１通電時に液晶パネル１で表示面を遮蔽し、液晶パネル１無通電時に透明になった液晶パネル１を通して表示面を表示させることで、液晶パネル１の点滅に伴って表示物２の表示面が点滅して見えるように表示される。したがって、従来の表示方法のように、表示物２の裏面から光を通して表示する方法と全く異なる方法となっている。すなわち、もともと見易い表示物２を遮蔽し、視線を遮断することで、点滅表示するといった全く逆の方法を採用している。この結果、周囲が明るいほど効果的な表示効果が得られ、液晶パネルの照度が低いために、昼間に十分な広告効果を得ることはできないといった従来の問題点は解消されたものである。
【００２３】
尚、本発明における図示例の各構成は、本発明の一実施例に過ぎず、各構成部材の形状、寸法等の設計変更、形態の変更など、現在知られている技術範囲で自由に変更することができるものである。
【図面の簡単な説明】
【００２４】
【図１】本発明の一実施例を示す分解斜視図である。
【図２】本発明液晶パネルが無通電時に透明になった状態を示す斜視図である。
【図３】本発明液晶パネルが通電時に表示物を遮蔽した状態を示す斜視図である。
【符号の説明】
【００２５】
１  液晶パネル
２  表示物
３  制御基盤
４  電源
５  収納ケース
６  被覆材
【図１】
0004147559.tif 000002
【図２】
0004147559.tif 000003
【図３】
0004147559.tif 000004